(57)【要約】【課題】具体的なビジネスアイデアを持たないユーザに対して、ビジネスのヒントとなる有用なデータを推薦する。【解決手段】実際のデータである実データの概要を示す情報を含むメタデータに基づいて実データを流通させるシステムにおけるデータ推薦装置であって、受付部１２が、ユーザ端末３０に、複数のメタデータの一覧を提示し、ユーザ端末３０から、一覧に含まれるいずれかのメタデータの選択を受け付け、検索部１４が、実データが過去に利用された際の目的と、実データに関するメタデータとが紐付けて記憶された記憶部から、受付部１２で受け付けられたメタデータに紐付けられた目的と、その目的で利用された他の実データに関するメタデータとを検索し、提示部１５が、検索部１４により検索された目的及びメタデータを、ユーザ端末３０に提示する。【選択図】図６
2019175293.tif 000002
【特許請求の範囲】
【請求項１】
実際のデータである実データの概要を示す情報を含むメタデータに基づいて実データを流通させるシステムにおけるデータ推薦装置であって、
情報処理端末に、複数のメタデータの一覧を提示し、前記情報処理端末から、前記一覧に含まれるいずれかのメタデータの選択を受け付ける受付部と、
実データが過去に利用された際の目的と、前記実データに関するメタデータとが紐付けて記憶された記憶部から、前記受付部で受け付けられたメタデータに紐付けられた前記目的と、前記目的で利用された他の実データに関するメタデータとを検索する検索部と、
前記検索部により検索された前記目的及び前記メタデータを、前記情報処理端末に提示する提示部と、
を含むデータ推薦装置。
【請求項２】
前記提示部は、前記受付部で受け付けられたメタデータに紐付けられた前記目的を提示し、提示した前記目的から選択された目的で利用された他の実データに関するメタデータを提示する請求項１に記載のデータ推薦装置。
【請求項３】
前記記憶部には、前記実データを過去に利用した利用者の情報が、前記目的に紐付けて記憶され、
前記検索部は、前記実データのいずれかを利用予定の利用予定者の情報に類似する前記利用者の情報に紐付けられた前記目的を検索する
請求項１又は請求項２に記載のデータ推薦装置。
【請求項４】
前記提示部は、前記検索部により検索された前記目的を、前記利用予定者の情報と前記利用者の情報との類似度が高い順に並べて提示する請求項３に記載のデータ推薦装置。
【請求項５】
前記受付部は、目的を持って実データを利用する利用者が前記実データを利用する際に、前記利用者が使用する情報処理端末から、前記目的を受け付け、
前記受付部により受け付けられた目的を、前記利用者が利用する前記実データに関するメタデータに紐付けて前記記憶部に記憶する紐付け部を含む
請求項１〜請求項４のいずれか１項に記載のデータ推薦装置。
【請求項６】
実際のデータである実データの概要を示す情報を含むメタデータに基づいて実データを流通させるシステムにおけるデータ推薦方法であって、
情報処理端末に、複数のメタデータの一覧を提示し、前記情報処理端末から、前記一覧に含まれるいずれかのメタデータの選択を受け付け、
実データが過去に利用された際の目的と、前記実データに関するメタデータとが紐付けて記憶された記憶部から、受け付けたメタデータに紐付けられた前記目的と、前記目的で利用された他の実データに関するメタデータとを検索し、
検索した前記目的及び前記メタデータを、前記情報処理端末に提示する
ことを含む処理をコンピュータが実行するデータ推薦方法。
【請求項７】
実際のデータである実データの概要を示す情報を含むメタデータに基づいて実データを流通させるシステムにおけるデータ推薦プログラムであって、
情報処理端末に、複数のメタデータの一覧を提示し、前記情報処理端末から、前記一覧に含まれるいずれかのメタデータの選択を受け付け、
実データが過去に利用された際の目的と、前記実データに関するメタデータとが紐付けて記憶された記憶部から、受け付けたメタデータに紐付けられた前記目的と、前記目的で利用された他の実データに関するメタデータとを検索し、
検索した前記目的及び前記メタデータを、前記情報処理端末に提示する
ことを含む処理をコンピュータに実行させるためのデータ推薦プログラム。
【請求項８】
実データが過去に利用された際の目的と、前記実データに関するメタデータとが紐付けて記憶された記憶部と、前記記憶部へデータを記憶する制御を行う記憶制御部と、を含む管理装置と、
実際のデータである実データの概要を示す情報を含むメタデータに基づいて実データを流通させるシステムにおけるデータ推薦装置であって、情報処理端末に、複数のメタデータの一覧を提示し、前記情報処理端末から、前記一覧に含まれるいずれかのメタデータの選択を受け付ける受付部と、前記記憶部から、前記受付部で受け付けられたメタデータに紐付けられた前記目的と、前記目的で利用された他の実データに関するメタデータとを検索する検索部と、前記検索部により検索された前記目的及び前記メタデータを、前記情報処理端末に提示する提示部と、を含むデータ推薦装置と、
を含むデータ推薦システム。
【発明の詳細な説明】
【技術分野】
【０００１】
開示の技術は、データ推薦装置、データ推薦方法、データ推薦プログラム、及びデータ推薦システムに関する。
【背景技術】
【０００２】
社会には、国、行政、自治体、企業、個人など、様々なステークホルダーが持つ様々なデータが存在する。例えば、企業が持つデータの例としては、過去５年分の月毎の売上推移、従業員一人一人に支払った給与所得の推移などのデータがある。また、個人が持つデータの例としては、個人の毎日の睡眠時間、歩数、月毎の食事代やエンゲル係数などのデータがある。また、国や自治体が持つデータの例としては、気象庁が日々取得する温度や湿度などの気象観測データなどがある。
【０００３】
一方で、社会には、これらビッグデータを利活用して企業のビジネス目的を実現し、新しい価値に転換しよう、新しい価値を生み出そうとする動きがある。例えば、新商品のマーケティング、新しいビジネスの創出、快適な生活環境の構築などを様々なデータの分析によって生み出そうとしている。
【０００４】
このような動きを支援する技術として、様々なデータ提供者が保持するビッグデータを登録及び流通させ、利活用を実現する目的のシステムであるデータ流通プラットフォームが提案されている。データ流通プラットフォームでは、実データそのものではなく、実データの概要情報（以降、「メタデータ」という）を登録し、このメタデータを使ってデータ提供者が提供する実データについて、データ利用者によるデータの利活用を促進させることを目的とする。このデータ流通プラットフォームにおいて、データ利用者は、メタデータを閲覧することにより、実データの概要を把握することができる。
【０００５】
しかし、膨大なメタデータの中から有用なメタデータを見つけることは困難であるため、データ利用者に対して有用なメタデータをレコメンドすることが望まれる。
【０００６】
ユーザへのレコメンド技術としては、例えば、ユーザが過去に利用したコンテンツに類似するコンテンツをレコメンドするコンテンツベースのレコメンド技術が存在する。また、ユーザと類似する他のユーザが過去に利用したコンテンツをレコメンドする協調フィルタリングベースのレコメンド技術が存在する。
【０００７】
例えば、コンテンツベースのレコメンド技術の例として、効果的に情報共有や知識共有を活性化させるために、ユーザが文書を公開登録することによって有益な関連情報のノウハウを把握することができる文書情報管理方法が提案されている。この方法では、文書の登録をする際に、文書の登録者に対して類似した文書の関連情報を通知する。また、文書の登録をする際に、登録先のフォルダを指定すると、文書の登録者に対して登録先のフォルダ内の類似した文書の関連情報を通知する。
【０００８】
また、協調フィルタリングベースのレコメンド技術の例として、音楽やビデオなどの娯楽指向内容品目及び他のメディア内容品目をユーザに推奨するシステムが提案されている。このシステムでは、ユーザと他のユーザとの間のプロフィールの類似性、及び、ユーザのプロフィールにおいて索引が付けられた内容とデータベースの他の内容との間の類似性に基づいて、品目の推奨が行われる。
【先行技術文献】
【特許文献】
【０００９】
【特許文献１】特開２００３−１６１０９号公報
【特許文献２】特表２００３−５２２９９３号公報
【発明の概要】
【発明が解決しようとする課題】
【００１０】
しかし、従来技術のように、コンテンツベースや協調フィルタリングベースのレコメンド技術で推薦されるデータは、具体的なビジネスアイデアを持たないユーザにとって有用であるとは限らない。例えば、このようなユーザにとって、推薦されたデータがどのような価値を持つか、どのように利活用可能かなどを判断することは困難である。
【００１１】
一つの側面として、開示の技術は、具体的なビジネスアイデアを持たないユーザに対して、ビジネスのヒントとなる有用なデータを推薦することができるデータ推薦装置、方法、プログラム、及びシステムを提供することを目的とする。
【課題を解決するための手段】
【００１２】
一つの態様として、開示の技術は、実際のデータである実データの概要を示す情報を含むメタデータに基づいて実データを流通させるシステムにおけるデータ推薦装置である。また、開示の技術は、情報処理端末に、複数のメタデータの一覧を提示し、前記情報処理端末から、前記一覧に含まれるいずれかのメタデータの選択を受け付ける受付部を備える。また、開示の技術は、前記受付部で受け付けられたメタデータに紐付けられた前記目的と、前記目的で利用された他の実データに関するメタデータとを検索する検索部を備える。検索部は、実データが過去に利用された際の目的と、前記実データに関するメタデータとが紐付けて記憶された記憶部から検索する。また、開示の技術は、前記検索部により検索された前記目的及び前記メタデータを、前記情報処理端末に提示する提示部を備える。
【発明の効果】
【００１３】
一つの側面として、開示の技術は、具体的なビジネスアイデアを持たないユーザに対して、ビジネスのヒントとなる有用なデータを推薦することができる、という効果を有する。
【図面の簡単な説明】
【００１４】
【図１】本実施形態に係るデータ推薦システムの概略構成を示すブロック図である。
【図２】管理装置の機能ブロック図である。
【図３】メタデータ・データベース（ＤＢ）の一例を示す図である。
【図４】目的ＤＢの一例を示す図である。
【図５】企業情報ＤＢの一例を示す図である。
【図６】データ推薦装置の機能ブロック図である。
【図７】メタデータ登録画面の一例を示す図である。
【図８】メタデータ一覧画面の一例を示す図である。
【図９】メタデータの詳細画面及び目的入力画面の一例を示す図である。
【図１０】目的一覧画面の一例を示す図である。
【図１１】紐付くメタデータ一覧画面の一例を示す図である。
【図１２】データ推薦装置として機能するコンピュータの概略構成を示すブロック図である。
【図１３】管理装置として機能するコンピュータの概略構成を示すブロック図である。
【図１４】メタデータ登録処理の一例を示すフローチャートである。
【図１５】利用時処理の一例を示すフローチャートである。
【図１６】企業情報登録処理の一例を示すフローチャートである。
【図１７】推薦時処理の一例を示すフローチャートである。
【図１８】データ推薦装置、管理装置、及びユーザ端末間でのデータのやり取りを示すシーケンス図である。
【図１９】選択されたメタデータに紐付く目的及び他のメタデータの検索を説明するための図である。
【発明を実施するための形態】
【００１５】
図面を参照して、開示の技術の一例である実施形態について詳細に説明する。
【００１６】
本実施形態に係るデータ推薦システム１００は、国、行政、自治体、企業、個人等の様々なデータ所有者が所有する実データの利活用を図るデータ流通プラットフォームの一機能を提供する。データ流通プラットフォームに参加する企業等は、新しい価値を生み出すビジネスを展開するために、データ流通プラットフォームで提供されるデータを利活用する。データ流通プラットフォームでは、データ所有者が所有する実データに関するメタデータが登録される。メタデータは、データ流通プラットフォームで提供される実データの中身を、データ流通プラットフォームの参加者に理解させるための実データの概要情報である。メタデータは、人が読めるだけではなく、テキストマイニングによって、機器にとっても可読可能な形式である。
【００１７】
そして、実データを利用する企業等の利用者は、必要なメタデータを検索し、そのメタデータが示す実データのデータ所有者に実データをリクエストすることにより、実データを取得する。
【００１８】
しかし、データ流通プラットフォームに登録された膨大なメタデータから、必要な実データに関するメタデータを探し出すことは困難である。特に、具体的なビジネスアイデアを持たない企業等がデータ流通プラットフォームを利用する場合、利用可能な膨大な実データから、有用な実データ、及びその活用方法を発見し、新たなビジネスを創出することは困難である。
【００１９】
そこで、本実施形態に係るデータ推薦システム１００では、データ流通プラットフォームにおいて、具体的なビジネスアイデアを持たないユーザに対して、ビジネスのヒントとなる有用なデータを推薦する機能を提供する。具体的には、データ推薦システム１００は、ビジネスのヒントとして、ユーザがデータを使って行おうとしているビジネスや行いたいことを指す目的と、その目的のために利用されたデータを推薦する。
【００２０】
なお、以下では、データ流通プラットフォームに実データを提供するユーザを「データ所有者」、具体的な目的を持って実データを利用するユーザを「利用者」、具体的なビジネスアイデアを持たないユーザを「利用予定者」と呼ぶ。また、本実施形態では、利用者及び利用予定者が企業である場合について説明する。
【００２１】
図１に示すように、本実施形態に係るデータ推薦システム１００は、データ推薦装置１０と、管理装置２０と、複数のユーザ端末３０とを含む。データ推薦装置１０と複数のユーザ端末３０の各々とは、インターネット等のネットワークを介して接続される。また、データ推薦装置１０と管理装置２０とは、イントラネット等のネットワークを介して接続される。
【００２２】
ユーザ端末３０は、データ流通プラットフォームのユーザ、すなわち、実データのデータ所有者、及び実データを利用する利用者又は利用予定者が使用する情報処理端末である。ユーザ端末３０は、例えば、サーバ装置、パーソナルコンピュータ、スマートフォン、タブレット端末等で実現される。ユーザ端末３０上では、例えば、データ流通プラットフォームのポータルサイトなど、データ流通プラットフォームが提供するアプリケーションが動作する。ユーザ端末３０は、各種画面が表示される表示装置、及び情報を入力するためのマウスやキーボードなどの入力装置を含む。
【００２３】
管理装置２０は、機能的には、図２に示すように、送受信部２１と、記憶制御部２２とを含む。また、管理装置２０の所定の記憶領域には、メタデータ・データベース（ＤＢ）２６と、目的ＤＢ２７と、企業情報ＤＢ２８とが記憶される。
【００２４】
メタデータＤＢ２６には、データ流通プラットフォームにおいて利活用可能な実データに関するメタデータが記憶される。図３に、メタデータＤＢ２６の一例を示す。図３の例では、各行（各レコード）が１つの実データに関するメタデータに相当する。各メタデータには、そのメタデータが示す実データを識別するための「データＩＤ」と、実データの内容を示す各種情報が対応付けて記憶されている。実データの内容を示す各種情報は、例えば、実データのタイトル、概要、収集方法、共有条件、変数ラベル、データ所有者、実データの種類、保存形式等とすることができる。なお、共有条件とは、例えば、企業のみが利用可能（個人は利用不可能）など、実データを共有可能な条件を示す情報である。また、変数ラベルとは、実データに含まれる項目のラベルの情報である。
【００２５】
また、図３の例では、メタデータＤＢ２６に記憶された各メタデータには、「紐付く目的」が紐付けて記憶されている。「紐付く目的」とは、そのメタデータが示す実データが過去に利用された際の目的である。図３の例では、「紐付く目的」欄には、その目的の識別情報である目的ＩＤが記憶されている。
【００２６】
目的ＤＢ２７には、データ流通プラットフォームの利用者である企業が、過去に実データをどのような目的で利用したかを示す目的情報が記憶される。図４に、目的ＤＢ２７の一例を示す。図４の例では、各行（各レコード）が１つの目的に関する目的情報に相当する。各目的情報には、目的の識別情報である「目的ＩＤ」が付与されている。また、各目的情報は、その目的のために実データを利用した企業の識別情報である「企業ＩＤ」と、その目的のために利用された実データに関するメタデータのデータＩＤを示す「紐付くメタデータ」とが含まれる。
【００２７】
企業情報ＤＢ２８には、データ流通プラットフォームの実データを利用する企業の情報が記憶される。図５に、企業情報ＤＢ２８の一例を示す。図５の例では、各行（各レコード）が１つの企業に関する企業情報に相当する。各企業情報は、「企業ＩＤ」、「法人番号」、「東証コード」等の情報を含む。また、企業情報は、企業名、企業概要、所在地、組織構成等の他の情報を含んでいてもよい。なお、詳細は後述するが、企業情報は企業間の類否判断に用いられるため、企業間の類否を判断する上で有用な情報を企業情報として含めておくことができる。なお、「法人番号」や「東証コード」なども、各桁の数値が持つ意味に基づいて、企業間の類否判断に用いることができる。
【００２８】
送受信部２１は、データ推薦装置１０との間でデータの送受信を行う。
【００２９】
記憶制御部２２は、送受信部２１を介してデータ推薦装置１０から受信したデータを、対応するデータベースに記憶する。また、記憶制御部２２は、データ推薦装置１０から要求されたデータを、対応するデータベースから読み出して、送受信部２１を介して、データ推薦装置１０へ送信する。
【００３０】
具体的には、記憶制御部２２は、データ推薦装置１０からメタデータを受信した場合には、受信したメタデータをメタデータＤＢ２６に記憶する。また、記憶制御部２２は、データ推薦装置１０から企業情報を受信した場合には、受信した企業情報を企業情報ＤＢ２８に記憶する。
【００３１】
また、記憶制御部２２は、データ推薦装置１０から、目的、企業ＩＤ、及びデータＩＤを含む目的情報を受信した場合には、受信した目的情報に目的ＩＤを付与して、目的ＤＢ２７に記憶する。なお、同一の目的が既に目的ＤＢ２７に記憶されている場合には、記憶制御部２２は、受信した目的情報に含まれる企業ＩＤ及びデータＩＤを、目的ＤＢ２７内の同一の目的についての目的情報に含まれる「企業ＩＤ」及び「紐付くメタデータ」に追加する。また、記憶制御部２２は、メタデータＤＢ２６の「データＩＤ」が目的情報に含まれるデータＩＤに一致するメタデータの「紐付く目的」に、目的情報に含まれる目的に付与した目的ＩＤを追加する。
【００３２】
また、記憶制御部２２は、データ推薦装置１０から、全てのメタデータが要求された場合には、メタデータＤＢ２６から全てのメタデータを取得して、送受信部２１を介してデータ推薦装置１０へ送信する。
【００３３】
また、記憶制御部２２は、データ推薦装置１０から、データＩＤを含む検索要求を受信した場合、受信したデータＩＤに対応するメタデータに紐付く目的ＩＤを、メタデータＤＢ２６の「紐付く目的」から抽出する。また、記憶制御部２２は、目的ＤＢ２７から、抽出した目的ＩＤに対応する「目的」及び「企業ＩＤ」を抽出する。また、記憶制御部２２は、企業情報ＤＢ２８から、抽出した企業ＩＤに対応する企業情報、及び利用予定者である企業の企業情報を抽出する。そして、記憶制御部２２は、抽出した目的及び企業情報を、送受信部２１を介してデータ推薦装置１０へ送信する。
【００３４】
また、記憶制御部２２は、データ推薦装置１０から、目的ＩＤを含む検索要求を受信した場合、受信した目的ＩＤに紐付くメタデータのデータＩＤを、目的ＤＢ２７の「紐付くメタデータ」から抽出する。また、記憶制御部２２は、メタデータＤＢ２６から、抽出したデータＩＤに対応するメタデータを抽出する。そして、記憶制御部２２は、抽出したメタデータを、送受信部２１を介してデータ推薦装置１０へ送信する。
【００３５】
データ推薦装置１０は、機能的には、図６に示すように、送受信部１１と、受付部１２と、紐付け部１３と、検索部１４と、提示部１５とを含む。
【００３６】
送受信部１１は、管理装置２０及びユーザ端末３０の各々との間でデータの送受信を行う。
【００３７】
受付部１２は、各種情報を受け付けるための画面を示す画面データを、送受信部１１を介してユーザ端末３０に送信する。また、受付部１２は、ユーザ端末３０に表示された画面にユーザにより入力された各種情報を、送受信部１１を介して受け付ける。
【００３８】
具体的には、受付部１２は、データ所有者が使用するユーザ端末３０に、メタデータを登録するためのメタデータ登録画面を表示し、データ所有者からメタデータを受け付ける。図７に、メタデータ登録画面４０の一例を示す。図７の例では、メタデータ登録画面４０は、メタデータが入力される入力領域４１と、メタデータを登録する際に選択される登録ボタン４２とを含む。
【００３９】
図７において、入力領域４１に含まれる各項目はメタデータの一例であり、メタデータは図７の例に限定されない。例えば、実データを表すイメージデータ（イラストや写真）をメタデータに含めてもよい。なお、入力領域４１に含まれるメタデータの各項目は、メタデータＤＢ２６の各項目と同じである。
【００４０】
受付部１２は、メタデータ登録画面４０において、登録ボタン４２が選択されると、入力領域４１に入力されたメタデータを受け付け、受け付けたメタデータを、送受信部１１を介して管理装置２０へ送信する。
【００４１】
また、受付部１２は、送受信部１１を介して、管理装置２０に記憶されたメタデータＤＢ２６から全メタデータを取得し、利用者又は利用予定者が使用するユーザ端末３０にメタデータ一覧画面を表示する。そして、受付部１２は、利用者又は利用予定者から、一覧に含まれるいずれかのメタデータの選択を受け付ける。図８に、メタデータ一覧画面４３の一例を示す。図８の例では、メタデータ一覧画面４３には、メタデータＤＢ２６に含まれるメタデータの各々を示すアイコン４４が選択可能に表示される。アイコン４４には、そのアイコン４４に対応するメタデータの一部の項目（例えば、タイトル及び概要）を表示することができる。
【００４２】
なお、一覧に含まれるメタデータは、図８に示すようにアイコン４４で表示する場合に限定されず、各メタデータに、そのメタデータを選択する際に押下される選択ボタンを対応付けて表示してもよい。
【００４３】
メタデータ一覧画面４３からいずれかのメタデータが選択されると、受付部１２は、選択されたメタデータのデータＩＤを含むメタデータ選択情報を、送受信部１１を介してユーザ端末３０から受け付ける。
【００４４】
また、受付部１２は、ユーザ端末３０からメタデータ選択情報を受け付けると、そのメタデータ選択情報に含まれるデータＩＤが示すメタデータの詳細画面をユーザ端末３０に表示する。図９の上段に、メタデータの詳細画面４５の一例を示す。図９の例では、メタデータの詳細画面４５には、選択されたメタデータの各項目の情報が表示される詳細表示領域４６と、そのメタデータが示す実データをデータ所有者にリクエストする際に選択されるリクエストボタン４７とが含まれる。
【００４５】
受付部１２は、メタデータの詳細画面４５において、リクエストボタン４７が選択されると、図９の下段に示すように、目的入力画面４８を表示する。図９の例では、目的入力画面４８は、利用者が選択したメタデータが示す実データを利用する目的を入力するための目的入力領域４９を含む。また、目的入力画面４８は、データ所有者へのリクエストを確定する際に選択されるＯＫボタン５０と、リクエストを取りやめる際に選択されるキャンセルボタン５１とを含む。
【００４６】
受付部１２は、目的入力画面４８においてＯＫボタン５０が選択されると、目的入力領域４９に入力された目的を受け付け、受け付けた目的を紐付け部１３に受け渡す。
【００４７】
また、受付部１２は、ユーザ端末３０からメタデータ選択情報を受け付けると、そのメタデータ選択情報に含まれるデータＩＤを検索部１４に受け渡す。
【００４８】
また、受付部１２は、利用者又は利用予定者に関する企業情報が企業情報ＤＢ２８に登録されていない場合には、利用者又は利用予定者が使用するユーザ端末３０に、企業情報を登録するための企業情報登録画面を表示し、企業情報を受け付ける。受付部１２は、受け付けた企業情報を、送受信部１１を介して管理装置２０へ送信する。
【００４９】
紐付け部１３は、受付部１２により受け付けられた目的を、利用者が利用する実データに関するメタデータに紐付ける。具体的には、紐付け部１３は、受付部１２から受け渡された目的と、その目的の入力の起点となった、選択されたメタデータのデータＩＤと、利用者である企業の企業ＩＤとを紐付けた目的情報を生成する。企業ＩＤは、例えば、データ流通プラットフォームで提供されるアプリケーションへのログイン情報などから取得することができるものとする。紐付け部１３は、生成した目的情報を、送受信部１１を介して管理装置２０へ送信する。
【００５０】
検索部１４は、ユーザ端末３０に表示されたメタデータ一覧画面４３から選択されたメタデータに紐付けられた目的と、その目的で利用された他の実データに関するメタデータとを検索する。
【００５１】
具体的には、検索部１４は、受付部１２から受け渡されたデータＩＤを含む検索要求を、送受信部１１を介して管理装置２０へ送信する。検索部１４は、検索要求に応じて管理装置２０から送信された目的及び企業情報を、送受信部１１を介して受信する。また、検索部１４は、取得した目的の各々に対応する企業情報の各々と、利用予定者である企業の企業情報との類否判断を行い、企業間の類似度が高いほど、その企業に対応する目的を高くランク付けする。企業間の類否は、例えば、企業情報をベクトル化し、ベクトル間距離を用いて判断するなど、従来既知の手法を用いることができる。検索部１４は、ランク付けした目的を提示部１５へ受け渡す。
【００５２】
また、検索部１４は、ユーザ端末３０から、目的ＩＤを含む目的選択情報を受信すると、送受信部１１を介して、目的ＩＤを含む検索要求を管理装置２０へ送信する。検索部１４は、検索要求に応じて管理装置２０から送信された、目的に紐付くメタデータを受信すると、受信したメタデータを提示部１５へ受け渡す。
【００５３】
提示部１５は、検索部１４により検索された目的及びメタデータを、利用予定者に提示する。具体的には、提示部１５は、検索部１４により検索された目的を利用予定者に提示し、提示した目的に応じて検索部１４から受け渡されたメタデータを提示する。
【００５４】
より具体的には、提示部１５は、検索部１４から受け渡されたランク付けされた目的を一覧表示する目的一覧画面の画面データを生成し、送受信部１１を介してユーザ端末３０へ送信する。これにより、ユーザ端末３０に目的一覧画面が表示される。図１０に、目的一覧画面５２の一例を示す。図１０の例では、目的一覧画面５２には、管理装置２０から受信した目的の各々を示すアイコン５３が選択可能に表示される。アイコン５３には、そのアイコン５３に対応する目的を表示する。また、各アイコン５３は、そのアイコン５３に対応する目的について検索部１４で得られたランキング順に並んでいる。
【００５５】
なお、一覧に含まれる目的は、図１０に示すようにアイコン５３で表示する場合に限定されず、各目的に、その目的を選択する際に押下される選択ボタンを対応付けて表示してもよい。目的一覧画面５２からいずれかの目的が選択されると、検索部１４は、選択された目的の目的ＩＤを含む目的選択情報を、送受信部１１を介してユーザ端末３０から受け付ける。
【００５６】
また、提示部１５は、検索部１４から、目的に紐付くメタデータを受け渡されると、受け渡されたメタデータを一覧表示する紐付くメタデータ一覧画面の画面データを生成し、送受信部１１を介してユーザ端末３０へ送信する。これにより、ユーザ端末３０に、紐付くメタデータ一覧画面が表示される。図１１に、紐付くメタデータ一覧画面５４の一例を示す。図１１の例では、紐付くメタデータ一覧画面５４には、選択された目的に紐付くメタデータの各々を示すアイコン５５が選択可能に表示される。アイコン５５には、そのアイコン５３に対応するメタデータの一部の項目（例えば、タイトル及び概要）を表示することができる。
【００５７】
なお、一覧に含まれるメタデータは、図１１に示すようにアイコン５５で表示する場合に限定されず、各メタデータに、そのメタデータを選択する際に押下される選択ボタンを対応付けて表示してもよい。紐付くメタデータ一覧画面５４からいずれかのメタデータが選択されると、選択されたメタデータについて、図９の上段に示すような、詳細画面４５が表示される。
【００５８】
データ推薦装置１０は、例えば図１２に示すコンピュータ６０で実現することができる。コンピュータ６０は、ＣＰＵ（Central Processing Unit）６１と、一時記憶領域としてのメモリ６２と、不揮発性の記憶部６３とを備える。また、コンピュータ６０は、入力装置、表示装置等の入出力装置６４と、記憶媒体６９に対するデータの読み込み及び書き込みを制御するＲ／Ｗ（Read/Write）部６５と、インターネット等のネットワークに接続される通信Ｉ／Ｆ（Interface）６６とを備える。ＣＰＵ６１、メモリ６２、記憶部６３、入出力装置６４、Ｒ／Ｗ部６５、及び通信Ｉ／Ｆ６６は、バス６７を介して互いに接続される。
【００５９】
記憶部６３は、ＨＤＤ（Hard Disk Drive）、ＳＳＤ（Solid State Drive）、フラッシュメモリ等によって実現できる。記憶媒体としての記憶部６３には、コンピュータ６０を、データ推薦装置１０として機能させるためのデータ推薦プログラム７０が記憶される。データ推薦プログラム７０は、送受信プロセス７１と、受付プロセス７２と、紐付けプロセス７３と、検索プロセス７４と、提示プロセス７５とを有する。
【００６０】
ＣＰＵ６１は、データ推薦プログラム７０を記憶部６３から読み出してメモリ６２に展開し、データ推薦プログラム７０が有するプロセスを順次実行する。ＣＰＵ６１は、送受信プロセス７１を実行することで、図６に示す送受信部１１として動作する。また、ＣＰＵ６１は、受付プロセス７２を実行することで、図６に示す受付部１２として動作する。また、ＣＰＵ６１は、紐付けプロセス７３を実行することで、図６に示す紐付け部１３として動作する。また、ＣＰＵ６１は、検索プロセス７４を実行することで、図６に示す検索部１４として動作する。また、ＣＰＵ６１は、提示プロセス７５を実行することで、図６に示す提示部１５として動作する。これにより、データ推薦プログラム７０を実行したコンピュータ６０が、データ推薦装置１０として機能することになる。なお、プログラムを実行するＣＰＵ６１はハードウェアである。
【００６１】
管理装置２０は、例えば図１３に示すコンピュータ８０で実現することができる。コンピュータ８０は、ＣＰＵ８１と、一時記憶領域としてのメモリ８２と、不揮発性の記憶部８３とを備える。また、コンピュータ８０は、入出力装置８４と、記憶媒体８９に対するデータの読み込み及び書き込みを制御するＲ／Ｗ部８５と、通信Ｉ／Ｆ８６とを備える。ＣＰＵ８１、メモリ８２、記憶部８３、入出力装置８４、Ｒ／Ｗ部８５、及び通信Ｉ／Ｆ８６は、バス８７を介して互いに接続される。
【００６２】
記憶部８３は、ＨＤＤ、ＳＳＤ、フラッシュメモリ等によって実現できる。記憶媒体としての記憶部８３には、コンピュータ８０を、管理装置２０として機能させるための管理プログラム９０が記憶される。管理プログラム９０は、送受信プロセス９１と、記憶制御プロセス９２とを有する。また、記憶部８３は、メタデータＤＢ２６、目的ＤＢ２７、及び企業情報ＤＢ２８の各々を構成する情報が記憶される情報記憶領域９５を有する。
【００６３】
ＣＰＵ８１は、管理プログラム９０を記憶部８３から読み出してメモリ８２に展開し、管理プログラム９０が有するプロセスを順次実行する。ＣＰＵ８１は、送受信プロセス９１を実行することで、図２に示す送受信部２１として動作する。また、ＣＰＵ８１は、記憶制御プロセス９２を実行することで、図２に示す記憶制御部２２として動作する。また、ＣＰＵ８１は、情報記憶領域９５から情報を読み出して、メタデータＤＢ２６、目的ＤＢ２７、及び企業情報ＤＢ２８の各々をメモリ８２に展開する。これにより、管理プログラム９０を実行したコンピュータ８０が、管理装置２０として機能することになる。なお、プログラムを実行するＣＰＵ８１はハードウェアである。
【００６４】
なお、データ推薦プログラム７０及び管理プログラム９０の各々により実現される機能は、例えば半導体集積回路、より詳しくはＡＳＩＣ（Application Specific Integrated Circuit）等で実現することも可能である。
【００６５】
次に、本実施形態に係るデータ推薦システム１００の作用について説明する。
【００６６】
データ流通プラットフォームが提供するアプリケーションが起動されたユーザ端末３０において、データ所有者がメタデータの登録メニューを選択すると、データ推薦装置１０が、図１４に示すメタデータ登録処理を実行する。また、ユーザ端末３０において、利用者が検索メニューを選択すると、データ推薦装置１０が、図１５に示す利用時処理を実行する。また、ユーザ端末３０において、利用予定者が検索メニューを選択すると、データ推薦装置１０が、図１７に示す推薦時処理を実行する。なお、利用時処理及び推薦時処理は、開示の技術のデータ推薦方法の一例である。以下、メタデータ登録処理、利用時処理、及び推薦時処理の各々について説明する。なお、以下の説明では、データ推薦装置１０とユーザ端末３０及び管理装置２０の各々との間におけるデータの送受信が、送受信部１１、２１を介した処理である旨の記載は省略する。
【００６７】
まず、メタデータ登録処理について説明する。
【００６８】
図１４のステップＳ１１で、受付部１２が、例えば、図７に示すようなメタデータ登録画面４０の画面データを、データ所有者が使用するユーザ端末３０に送信し、ユーザ端末３０にメタデータ登録画面４０を表示する。
【００６９】
次に、ステップＳ１２で、メタデータ登録画面４０において、登録ボタン４２が選択されると、受付部１２が、メタデータ登録画面４０の入力領域４１に入力されたメタデータを、ユーザ端末３０から受け付ける。
【００７０】
次に、ステップＳ１３で、受付部１２が、受け付けたメタデータを管理装置２０へ送信し、メタデータ登録処理は終了する。これにより、管理装置２０の記憶制御部２２が、データ推薦装置１０から受信したメタデータをメタデータＤＢ２６に記憶する。
【００７１】
様々なデータ所有者が上記メタデータ登録処理を実行することにより、メタデータＤＢ２６にメタデータが蓄積される。
【００７２】
次に、利用時処理について説明する。
【００７３】
図１５のステップＳ２１で、受付部１２が、管理装置２０の企業情報ＤＢ２８に、検索メニューを選択した利用者である企業の企業情報が登録されているか否かを判定する。この判定は、例えば、受付部１２が、ログイン情報などから取得される利用者である企業の企業ＩＤが企業情報ＤＢ２８に登録されているか否かを判定することにより行うことができる。企業情報が登録されている場合には、処理はステップＳ２２へ移行する。一方、企業情報が登録されていない場合には、処理はステップＳ３０へ移行し、企業情報登録処理が実行され、処理はステップＳ２１に戻る。
【００７４】
ここで、図１６を参照して、企業情報登録処理について説明する。
【００７５】
図１６のステップＳ３１で、受付部１２が、企業情報登録画面の画面データを、利用者が使用するユーザ端末３０に送信し、ユーザ端末３０に企業情報登録画面を表示する。
【００７６】
次に、ステップＳ３２で、企業情報登録画面において、登録が指示されると、受付部１２が、企業情報登録画面に入力された企業情報を、ユーザ端末３０から受け付ける。
【００７７】
次に、ステップＳ３３で、受付部１２が、受け付けた企業情報を管理装置２０へ送信し、企業情報登録処理は終了して、利用時処理に戻る。これにより、管理装置２０の記憶制御部２２が、データ推薦装置１０から受信した企業情報を企業情報ＤＢ２８に記憶する。
【００７８】
図１５の利用時処理の説明に戻って、ステップＳ２２では、受付部１２が、管理装置２０に記憶されたメタデータＤＢ２６から全メタデータを取得する。そして、受付部１２が、利用者が使用するユーザ端末３０に、例えば図８に示すようなメタデータ一覧画面４３の画面データを送信し、ユーザ端末３０にメタデータ一覧画面４３を表示する。
【００７９】
次に、ステップＳ２３で、受付部１２が、メタデータ一覧画面４３から、利用者により、いずれかのメタデータが選択されたか否かを判定する。受付部１２が、ユーザ端末３０から、データＩＤを含むメタデータ選択情報を受け付けると、メタデータが選択されたと判定し、処理はステップＳ２４へ移行する。メタデータが選択されない場合には、本ステップの判定を繰り返す。
【００８０】
ステップＳ２４では、受付部１２が、ユーザ端末３０から受け付けたメタデータ選択情報に含まれるデータＩＤが示すメタデータを、上記ステップＳ２２で取得したメタデータから抽出する。そして、受付部１２が、抽出したメタデータに基づいて、例えば、図９の上段に示すようなメタデータの詳細画面４５の画面データをユーザ端末３０へ送信し、ユーザ端末３０にメタデータの詳細画面４５を表示する。
【００８１】
次に、ステップＳ２５で、受付部１２が、メタデータの詳細画面４５において、リクエストボタン４７が選択されたか否かを判定することにより、データ所有者への実データのリクエストが指示されたか否かを判定する。リクエストが指示された場合には、処理はステップＳ２６へ移行し、リクエストが指示されない場合には、処理はステップＳ２４に戻る。
【００８２】
ステップＳ２６では、受付部１２が、例えば、図９の下段に示すような目的入力画面４８の画面データをユーザ端末３０へ送信し、ユーザ端末３０に目的入力画面４８を表示する。
【００８３】
次に、ステップＳ２７で、受付部１２が、目的入力画面４８においてＯＫボタン５０が選択されたか否かを判定することにより、目的が入力されたか否かを判定する。目的が入力された場合には、処理はステップＳ２８へ移行し、目的が入力されていない場合には、処理はステップＳ２４に戻る。
【００８４】
ステップＳ２８では、受付部１２が、目的入力領域４９に入力された目的を受け付け、受け付けた目的を紐付け部１３に受け渡す。そして、紐付け部１３が、受付部１２から受け渡された目的と、上記ステップＳ２３で選択されたメタデータのデータＩＤと、利用者である企業の企業ＩＤとを紐付けた目的情報を生成する。
【００８５】
次に、ステップＳ２９で、紐付け部１３が、生成した目的情報を管理装置２０へ送信し、利用時処理は終了する。これにより、管理装置２０の記憶制御部２２が、受信した目的情報に目的ＩＤを付与して、目的ＤＢ２７に記憶する。また、記憶制御部２２が、メタデータＤＢ２６において、目的情報に含まれるデータＩＤに対応するメタデータの「紐付く目的」に、目的情報に含まれる目的に付与された目的ＩＤを追加する。
【００８６】
なお、ステップ２７でＯＫボタン５０が選択されることにより、データ推薦システム１００の機能とは別に、データ流通プラットフォームが有する機能により、データ所有者への実データのリクエストが実行される。
【００８７】
次に、推薦時処理について説明する。なお、推薦時処理において、利用時処理（図１５）と同様の処理については、同一の符号を付して詳細な説明を省略する。
【００８８】
図１７のステップＳ２１〜Ｓ２４を経て、次のステップＳ４５で、受付部１２が、上記ステップＳ２３で受け付けたメタデータ選択情報に含まれるデータＩＤを検索部１４に受け渡す。そして、検索部１４が、受付部１２から受け渡されたデータＩＤを含む検索要求を管理装置２０へ送信し、検索要求に応じて管理装置２０から送信された目的及び企業情報を取得する。
【００８９】
次に、ステップＳ４６で、検索部１４が、取得した目的の各々に対応する企業情報の各々と、利用予定者である企業の企業情報との類否判断を行い、企業間の類似度が高いほど、その企業に対応する目的を高くランク付けする。検索部１４は、ランク付けした目的を提示部１５へ受け渡す。
【００９０】
次に、ステップＳ４７で、提示部１５が、検索部１４から受け渡されたランク付けされた目的に基づいて、例えば図１０に示すような目的一覧画面５２の画面データをユーザ端末３０へ送信し、ユーザ端末３０に目的一覧画面５２を表示する。
【００９１】
次に、ステップＳ４８で、検索部１４が、目的一覧画面５２から、利用予定者により、いずれかの目的が選択されたか否かを判定する。検索部１４が、ユーザ端末３０から、目的ＩＤを含む目的選択情報を受け付けると、目的が選択されたと判定し、処理はステップＳ４９へ移行する。目的が選択されない場合には、本ステップの判定を繰り返す。
【００９２】
ステップＳ４９では、検索部１４が、受け付けた目的選択情報に含まれる目的ＩＤを含む検索要求を管理装置２０へ送信する。そして、検索部１４は、検索要求に応じて管理装置２０から送信された、目的に紐付くメタデータを取得する。
【００９３】
次に、ステップＳ５０で、検索部１４が、取得したメタデータを提示部１５へ受け渡す。そして、提示部１５が、検索部１４から受け渡された、目的に紐付くメタデータに基づいて、例えば図１１に示すような紐付くメタデータ一覧画面５４の画面データをユーザ端末３０へ送信し、ユーザ端末３０に紐付くメタデータ一覧画面５４を表示する。そして、推薦時処理は終了する。
【００９４】
次に、図１８に示すシーケンス図を参照して、データ推薦装置１０、管理装置２０、及びユーザ端末３０間でのデータのやり取りについて、具体的な例を用いて説明する。
【００９５】
データ所有者Ａが、「東京２３区２０１７年降水データ」についての実データを、データ流通プラットフォーム上に提供する場合、データ所有者Ａは、ユーザ端末３０に表示されたメタデータ登録画面４０にメタデータを入力する（例えば、図７）。データ所有者Ａが登録ボタン４２を選択すると、メタデータ登録画面４０に入力されたメタデータがデータ推薦装置１０に送信される（Ｓ６１）。そして、データ推薦装置１０が、受信したメタデータを管理装置２０へ送信する（Ｓ６２）。管理装置２０は、例えば、図３に示すメタデータＤＢ２６の１行目のレコードのように、受信したメタデータにデータＩＤを付与してメタデータＤＢ２６に記憶する（Ｓ６３）。
【００９６】
また、ある利用者Ｂが、「荒天の外出対策」という目的を持ってデータ流通プラットフォームを利用するとする。利用者Ｂの企業情報が企業情報ＤＢ２８に登録されていないとすると、データ推薦装置１０は、利用者Ｂのユーザ端末３０に、企業情報登録画面を表示し、企業情報の登録を促す。利用者Ｂは、ユーザ端末３０に表示された企業情報登録画面に企業情報を入力する。入力された企業情報は、ユーザ端末３０からデータ推薦装置１０へ送信される（Ｓ６４）。そして、データ推薦装置１０が、受信した企業情報を管理装置２０へ送信する（Ｓ６５）。管理装置２０は、例えば、図５に示す企業情報ＤＢ２８の２行目のレコードのように、受信した企業情報に企業ＩＤを付与して企業情報ＤＢ２８に記憶する（Ｓ６６）。
【００９７】
データ推薦装置１０は、メタデータＤＢ２６から全てのメタデータを取得して（Ｓ６７）、メタデータ一覧画面４３の画面データを生成して、利用者Ｂのユーザ端末３０へ送信する（Ｓ６８）。そして、利用者Ｂが、ユーザ端末３０に表示された、例えば図８に示すようなメタデータ一覧画面４３から、以下の２つのメタデータを選択したとする。
【００９８】
メタデータ１：データＩＤが１、タイトルが「東京２３区２０１７年降水データ」のメタデータ
メタデータ２：データＩＤが２、タイトルが「２０１７年度東京２３区交通事故統計データ」のメタデータ
【００９９】
この場合、ユーザ端末３０から、データＩＤ＝１，２を含むメタデータ選択情報がデータ推薦装置１０へ送信される（Ｓ６９）。データ推薦装置１０は、取得しているメタデータの中から、データＩＤが１及び２のメタデータを抽出し、詳細画面４５の画面データを生成して、利用者Ｂのユーザ端末３０へ送信する（Ｓ７０）。そして、利用者Ｂのユーザ端末３０には、例えば図９の上段に示すような詳細画面４５が表示される。なお、選択されたメタデータが複数存在する場合には、例えば、詳細画面４５の詳細表示領域４６を、メタデータ毎のブロックに分けて表示するなどすればよい。
【０１００】
そして、利用者Ｂが、詳細画面４５のリクエストボタン４７を選択すると、データ推薦装置１０は、利用者Ｂのユーザ端末３０に、例えば図９の下段に示すような目的入力画面４８を表示させる。利用者Ｂは、目的入力領域４９に、「荒天の外出対策」と入力し、ＯＫボタン５０を選択する。これにより、利用者Ｂのユーザ端末３０から、目的「荒天の外出対策」というデータがデータ推薦装置１０へ送信される。
【０１０１】
データ推薦装置１０は、ユーザ端末３０から受信した目的「荒天の外出対策」と、利用者Ｂの企業ＩＤ「Ｂ」と、選択されたメタデータのデータＩＤ「１，２」とを紐付けた目的情報を生成し（Ｓ７３）、管理装置２０へ送信する（Ｓ７４）。管理装置２０は、受信した目的情報に目的ＩＤを付与し、例えば、図４に示す目的ＤＢ２７の１行目のレコードのように記憶する（Ｓ７５）。
【０１０２】
また、別の利用者Ｃが「自動車保険のビジネスを始めたい」という目的で、メタデータ２（データＩＤが２、タイトルが「２０１７年度東京２３区交通事故統計データ」のメタデータ）を選択し、上記の目的を登録したとする。この場合、例えば、図４に示す目的ＤＢ２７の２行目のレコードのように、利用者Ｃが登録した目的を含む目的情報が記憶される。
【０１０３】
次に、具体的な目的を持たない利用予定者Ｄが、利用予定者Ｄのユーザ端末３０に表示されたメタデータ一覧画面４３から、メタデータ２（データＩＤが２、タイトルが「２０１７年度東京２３区交通事故統計データ」のメタデータ）を選択したとする。この場合、利用予定者Ｄのユーザ端末３０から、データＩＤ＝２を含むメタデータ選択情報がデータ推薦装置１０へ送信される（Ｓ７６）。なお、具体的な目的を持たない利用予定者は、メタデータ一覧画面４３から、利用予定者である企業と関連がある内容を示すメタデータや、関心のある内容を示すメタデータを選択することが想定される。
【０１０４】
データ推薦装置１０は、データＩＤ＝２を含む検索要求を管理装置２０に送信する（Ｓ７７）。管理装置２０は、図１９の（１）に示すように、メタデータＤＢ２６において、検索要求に含まれるデータＩＤ「２」に対応する「紐付く目的」を示す目的ＩＤ「１，２」を抽出する。また、管理装置２０は、図１９の（２）に示すように、メタデータＤＢ２６から抽出した目的ＩＤ「１，２」をキーに目的ＤＢ２７を参照する。また、管理装置２０は、図１９の（３）に示すように、参照した目的ＩＤ「１，２」に対応する「目的」（「荒天の外出対策」及び「自動車保険のビジネスを始めたい」）と、「利用企業」を示す企業ＩＤ「Ｂ，Ｃ」を抽出する。さらに、管理装置２０は、図１９の（４）に示すように、目的ＤＢ２７から抽出した企業ＩＤをキーに企業情報ＤＢ２８を参照する。そして、管理装置２０は、図１９の（５）に示すように、参照した企業ＩＤに対応する企業情報を抽出する（Ｓ７８）。
【０１０５】
管理装置２０は、抽出した目的と企業情報とを、（「荒天の外出対策」，利用者Ｂの企業情報）、（「自動車保険のビジネスを始めたい」，利用者Ｃの企業情報）のように対応付けて、データ推薦装置１０へ送信する（Ｓ７９）。管理装置２０は、利用予定者Ｄの企業情報もデータ推薦装置１０へ送信する（Ｓ７９）。
【０１０６】
データ推薦装置１０は、管理装置２０から受信した企業情報に基づいて、利用予定者Ｄと、利用者Ｂ及びＣの各々との類否判断を行う。利用者Ｃよりも、利用者Ｂの方が利用予定者Ｄに類似している場合には、データ推薦装置１０は、利用者Ｂに対応する目的「荒天の外出対策」を、利用者Ｃに対応する目的「自動車保険のビジネスを始めたい」よりも高くランク付けする（Ｓ８０）。そして、データ推薦装置１０は、利用予定者Ｄに選択されたメタデータに紐付く各目的にランク付けした目的一覧画面５２の画面データを生成し、利用予定者Ｄのユーザ端末３０へ送信する（Ｓ８１）。
【０１０７】
そして、利用予定者Ｄのユーザ端末３０には、例えば図１０に示すように、「荒天の外出対策」及び「自動車保険のビジネスを始めたい」という２つの目的を推薦する目的一覧画面５２が表示される。目的一覧画面５２は、選択されたメタデータの詳細画面４５と同一画面上に表示することができる。例えば、詳細画面４５の下側領域や右側領域などに並べて、目的一覧画面５２を表示することができる。
【０１０８】
利用予定者Ｄが、目的一覧画面５２から、目的「荒天の外出対策」を選択したとすると、利用予定者Ｄのユーザ端末３０から、目的ＩＤ＝１を含む目的選択情報がデータ推薦装置１０へ送信される（Ｓ８２）。データ推薦装置１０は、目的ＩＤ＝１を含む検索要求を管理装置２０に送信する（Ｓ８３）。
【０１０９】
管理装置２０は、図１９の（６）に示すように、目的ＤＢ２７において、検索要求に含まれる目的ＩＤ「１」に対応する「紐付くメタデータ」を示すデータＩＤ「１，２」を抽出する。また、管理装置２０は、図１９の（７）に示すように、目的ＤＢ２７から抽出したデータＩＤ「１，２」をキーにメタデータＤＢ２６を参照する。また、管理装置２０は、図１９の（８）に示すように、参照したメタデータＩＤ「１，２」に対応するメタデータを取得する（Ｓ８４）。そして、管理装置２０は、取得したメタデータをデータ推薦装置１０へ送信する（Ｓ８５）。
【０１１０】
データ推薦装置１０は、受信したメタデータに基づいて、利用予定者Ｄにより選択された目的に紐付くメタデータの一覧である紐付くメタデータ一覧画面５４の画面データを生成し、利用予定者Ｄのユーザ端末３０へ送信する（Ｓ８６）。そして、利用予定者Ｄのユーザ端末３０には、例えば図１１に示すように、メタデータ１及び２を一覧にした、紐付くメタデータ一覧画面５４が表示される。
【０１１１】
以上説明したように、本実施形態に係るデータ推薦システムによれば、データ流通プラットフォームで提供される実データに関するメタデータと、過去に実データが利用された際の目的とを紐付けて記憶しておく。そして、データ推薦装置が、利用予定者により選択されたメタデータに紐付く目的を利用予定者に提示する。また、データ推薦装置は、提示した目的から選択された目的に紐付く他のメタデータも提示する。これにより、具体的なビジネスアイデアを持たないユーザに対して、ビジネスのヒントとなる有用なデータを推薦することができる。
【０１１２】
なお、上記実施形態では、利用予定者により選択されたメタデータに紐付く目的と、その目的に紐付くメタデータとを段階的に提示する場合について説明したが、これに限定されない。目的と、その目的に紐付くメタデータとを同時に提示するようにしてもよい。
【０１１３】
また、上記実施形態では、利用者及び利用予定者が企業である場合について説明したが、利用者及び利用予定者は、国、行政、自治体、個人などであってもよい。この場合、提示する目的をランク付けする際の利用者と利用予定者間の類否判断において、国、行政、自治体、企業、個人等の区別も類否判断に加えるようにすればよい。または、利用者と利用予定者間の類否判断を行うことなく、選択されたメタデータに紐付く目的を提示するようにしてもよい。この場合、提示する目的は、ランク付けなしとしてもよいし、類否判断以外のルールに従ってランク付けしてもよい。例えば、目的が登録された日付が新しい順にランク付けするなどしてもよい。
【０１１４】
また、上記実施形態において、目的のランク付けのための企業間の類否判断の結果を、企業情報ＤＢ２８に記憶するようにしてもよい。例えば、企業情報ＤＢ２８に「類似企業」の項目を設け、企業Ａと企業Ｂとが類似する場合には、企業Ａの「類似企業」の項目に企業Ｂの企業ＩＤを登録し、企業Ｂの「類似企業」の項目に企業Ａの企業ＩＤを登録することができる。この場合、「類似企業」の情報を、目的のランク付けに利用することができる。例えば、利用予定者である企業が選択したメタデータに紐付く目的のうち、その企業の「類似企業」として登録されている企業により登録された目的のランク付けを高くするようにすればよい。
【０１１５】
また、上記実施形態では、説明を簡単にするため、利用者が検索メニューを選択した際に実行される利用時処理と、利用予定者が検索メニューを選択した際に実行される推薦時処理とを別々のフローチャートを用いて説明した。ただし、利用時処理と推薦時処理とは、検索メニューを選択したのが利用者であるか利用予定者であるかを区別して実行する必要はない。利用時処理においても、ステップＳ２４の後に推薦時処理のステップＳ４５〜Ｓ４７を実行すればよい。メタデータの詳細画面４５と共に目的一覧画面５２が表示されているとしても、利用者であれば、詳細画面の４５のリクエストボタン４７を選択することが想定される。一方、利用予定者は、目的一覧画面５２からいずれかの目的を選択することが想定される。
【０１１６】
また、上記実施形態において、データ推薦装置１０が有する紐付け部１３及び検索部１４は、管理装置２０が備える機能部としてもよい。
【０１１７】
また、上記実施形態では、プログラムが記憶部に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記憶媒体に記憶された形態で提供することも可能である。
【０１１８】
以上の実施形態に関し、さらに以下の付記を開示する。
【０１１９】
（付記１）
実際のデータである実データの概要を示す情報を含むメタデータに基づいて実データを流通させるシステムにおけるデータ推薦装置であって、
情報処理端末に、複数のメタデータの一覧を提示し、前記情報処理端末から、前記一覧に含まれるいずれかのメタデータの選択を受け付ける受付部と、
実データが過去に利用された際の目的と、前記実データに関するメタデータとが紐付けて記憶された記憶部から、前記受付部で受け付けられたメタデータに紐付けられた前記目的と、前記目的で利用された他の実データに関するメタデータとを検索する検索部と、
前記検索部により検索された前記目的及び前記メタデータを、前記情報処理端末に提示する提示部と、
を含むデータ推薦装置。
【０１２０】
（付記２）
前記提示部は、前記受付部で受け付けられたメタデータに紐付けられた前記目的を提示し、提示した前記目的から選択された目的で利用された他の実データに関するメタデータを提示する付記１に記載のデータ推薦装置。
【０１２１】
（付記３）
前記記憶部には、前記実データを過去に利用した利用者の情報が、前記目的に紐付けて記憶され、
前記検索部は、前記実データのいずれかを利用予定の利用予定者の情報に類似する前記利用者の情報に紐付けられた前記目的を検索する
付記１又は付記２に記載のデータ推薦装置。
【０１２２】
（付記４）
前記提示部は、前記検索部により検索された前記目的を、前記利用予定者の情報と前記利用者の情報との類似度が高い順に並べて提示する付記３に記載のデータ推薦装置。
【０１２３】
（付記５）
前記受付部は、目的を持って実データを利用する利用者が前記実データを利用する際に、前記利用者が使用する情報処理端末から、前記目的を受け付け、
前記受付部により受け付けられた目的を、前記利用者が利用する前記実データに関するメタデータに紐付けて前記記憶部に記憶する紐付け部を含む
付記１〜付記４のいずれか１項に記載のデータ推薦装置。
【０１２４】
（付記６）
実際のデータである実データの概要を示す情報を含むメタデータに基づいて実データを流通させるシステムにおけるデータ推薦方法であって、
情報処理端末に、複数のメタデータの一覧を提示し、前記情報処理端末から、前記一覧に含まれるいずれかのメタデータの選択を受け付け、
実データが過去に利用された際の目的と、前記実データに関するメタデータとが紐付けて記憶された記憶部から、受け付けたメタデータに紐付けられた前記目的と、前記目的で利用された他の実データに関するメタデータとを検索し、
検索した前記目的及び前記メタデータを、前記情報処理端末に提示する
ことを含む処理をコンピュータが実行するデータ推薦方法。
【０１２５】
（付記７）
前記目的及び前記メタデータを提示する際、受け付けたメタデータに紐付けられた前記目的を提示し、提示した前記目的から選択された目的で利用された他の実データに関するメタデータを提示する付記６に記載のデータ推薦方法。
【０１２６】
（付記８）
前記記憶部には、前記実データを過去に利用した利用者の情報が、前記目的に紐付けて記憶され、
前記目的を検索する際、前記実データのいずれかを利用予定の利用予定者の情報に類似する前記利用者の情報に紐付けられた前記目的を検索する
付記６又は付記７に記載のデータ推薦方法。
【０１２７】
（付記９）
前記目的を提示する際、検索された前記目的を、前記利用予定者の情報と前記利用者の情報との類似度が高い順に並べて提示する付記８に記載のデータ推薦方法。
【０１２８】
（付記１０）
目的を持って実データを利用する利用者が前記実データを利用する際に、前記利用者が使用する情報処理端末から、前記目的を受け付け、
受け付けた目的を、前記利用者が利用する前記実データに関するメタデータに紐付けて前記記憶部に記憶する
ことをさらに含む処理を前記コンピュータが実行する付記６〜付記９のいずれか１項に記載のデータ推薦方法。
【０１２９】
（付記１１）
実際のデータである実データの概要を示す情報を含むメタデータに基づいて実データを流通させるシステムにおけるデータ推薦プログラムであって、
情報処理端末に、複数のメタデータの一覧を提示し、前記情報処理端末から、前記一覧に含まれるいずれかのメタデータの選択を受け付け、
実データが過去に利用された際の目的と、前記実データに関するメタデータとが紐付けて記憶された記憶部から、受け付けたメタデータに紐付けられた前記目的と、前記目的で利用された他の実データに関するメタデータとを検索し、
検索した前記目的及び前記メタデータを、前記情報処理端末に提示する
ことを含む処理をコンピュータに実行させるためのデータ推薦プログラム。
【０１３０】
（付記１２）
前記目的及び前記メタデータを提示する際、受け付けたメタデータに紐付けられた前記目的を提示し、提示した前記目的から選択された目的で利用された他の実データに関するメタデータを提示する付記１１に記載のデータ推薦プログラム。
【０１３１】
（付記１３）
前記記憶部には、前記実データを過去に利用した利用者の情報が、前記目的に紐付けて記憶され、
前記目的を検索する際、前記実データのいずれかを利用予定の利用予定者の情報に類似する前記利用者の情報に紐付けられた前記目的を検索する
付記１１又は付記１２に記載のデータ推薦プログラム。
【０１３２】
（付記１４）
前記目的を提示する際、検索された前記目的を、前記利用予定者の情報と前記利用者の情報との類似度が高い順に並べて提示する付記１３に記載のデータ推薦プログラム。
【０１３３】
（付記１５）
目的を持って実データを利用する利用者が前記実データを利用する際に、前記利用者が使用する情報処理端末から、前記目的を受け付け、
受け付けた目的を、前記利用者が利用する前記実データに関するメタデータに紐付けて前記記憶部に記憶する
ことをさらに含む処理を前記コンピュータが実行する付記１１〜付記１４のいずれか１項に記載のデータ推薦プログラム。
【０１３４】
（付記１６）
実データが過去に利用された際の目的と、前記実データに関するメタデータとが紐付けて記憶された記憶部と、前記記憶部へデータを記憶する制御を行う記憶制御部と、を含む管理装置と、
実際のデータである実データの概要を示す情報を含むメタデータに基づいて実データを流通させるシステムにおけるデータ推薦装置であって、情報処理端末に、複数のメタデータの一覧を提示し、前記情報処理端末から、前記一覧に含まれるいずれかのメタデータの選択を受け付ける受付部と、前記記憶部から、前記受付部で受け付けられたメタデータに紐付けられた前記目的と、前記目的で利用された他の実データに関するメタデータとを検索する検索部と、前記検索部により検索された前記目的及び前記メタデータを、前記情報処理端末に提示する提示部と、を含むデータ推薦装置と、
を含むデータ推薦システム。
【０１３５】
（付記１７）
実際のデータである実データの概要を示す情報を含むメタデータに基づいて実データを流通させるシステムにおけるデータ推薦プログラムであって、
情報処理端末に、複数のメタデータの一覧を提示し、前記情報処理端末から、前記一覧に含まれるいずれかのメタデータの選択を受け付け、
実データが過去に利用された際の目的と、前記実データに関するメタデータとが紐付けて記憶された記憶部から、受け付けたメタデータに紐付けられた前記目的と、前記目的で利用された他の実データに関するメタデータとを検索し、
検索した前記目的及び前記メタデータを、前記情報処理端末に提示する
ことを含む処理をコンピュータに実行させるためのデータ推薦プログラムを記憶した記憶媒体。
【符号の説明】
【０１３６】
１０   データ推薦装置
１１   送受信部
１２   受付部
１３   紐付け部
１４   検索部
１５   提示部
２０   管理装置
２１   送受信部
２２   記憶制御部
２６   メタデータＤＢ
２７   目的ＤＢ
２８   企業情報ＤＢ
３０   ユーザ端末
６０、８０    コンピュータ
６１、８１    ＣＰＵ
６２、８２    メモリ
６３、８３    記憶部
６９、８９    記憶媒体
７０   データ推薦プログラム
９０   管理プログラム
１００ データ推薦システム
【図１】
2019175293.tif 000003
【図２】
2019175293.tif 000004
【図３】
2019175293.tif 000005
【図４】
2019175293.tif 000006
【図５】
2019175293.tif 000007
【図６】
2019175293.tif 000008
【図７】
2019175293.tif 000009
【図８】
2019175293.tif 000010
【図９】
2019175293.tif 000011
【図１０】
2019175293.tif 000012
【図１１】
2019175293.tif 000013
【図１２】
2019175293.tif 000014
【図１３】
2019175293.tif 000015
【図１４】
2019175293.tif 000016
【図１５】
2019175293.tif 000017
【図１６】
2019175293.tif 000018
【図１７】
2019175293.tif 000019
【図１８】
2019175293.tif 000020
【図１９】
2019175293.tif 000021